(57)【要約】【課題】安定して書き込み防止機能を実行できる液晶表示装置を得る。【解決手段】液晶パネルと、液晶パネルを駆動する駆動回路が実装された第１プリント基板と、駆動回路に所定の制御信号及びデータ信号を供給するタイミングコントローラ並びに駆動回路に所定の電圧を供給する電源供給部が実装された第２プリント基板と、第２プリント基板から供給された前記所定の制御信号及びデータ信号並びに所定の電圧を第１プリント基板に供給するフレキシブルプリント基板と、第２プリント基板上に実装されフレキシブルプリント基板を介して供給された所定の電圧によって書き込み防止機能を実行するメモリ素子とを含む。【選択図】図２
2008015458.tif 000002
【特許請求の範囲】
【請求項１】
液晶パネルと、
前記液晶パネルを駆動する駆動回路が実装され前記液晶パネルの一方に取り付けられた第１プリント基板と、
前記駆動回路に所定の制御信号及びデータ信号を供給するタイミングコントローラ、並びに前記駆動回路に所定の電圧を供給する電源供給部が実装された第２プリント基板と、
前記第２プリント基板から供給された前記所定の制御信号及びデータ信号、並びに所定の電圧を前記第１プリント基板に供給するフレキシブルプリント基板と、
前記第２プリント基板上に実装され、前記フレキシブルプリント基板及び前記第１プリント基板の少なくとも一方を介して電気通路からの前記所定の電圧に応答して書き込み防止機能を実行するメモリ素子と
を備えることを特徴とする液晶表示装置。
【請求項２】
前記電気通路は、前記第１プリント基板上で帰還するように形成される
ことを特徴とする請求項１記載の液晶表示装置。
【請求項３】
前記フレキシブルプリント基板は、
前記第２プリント基板からの前記所定の電圧を前記第１プリント基板の方向に伝達する第１配線と、
前記第１プリント基板から帰還する前記所定の電圧を前記第２プリント基板上の前記メモリ素子に伝達するダミー配線とを有する
ことを特徴とする請求項２記載の液晶表示装置。
【請求項４】
前記電気通路は、前記フレキシブルプリント基板上で帰還するように形成される
ことを特徴とする請求項１記載の液晶表示装置。
【請求項５】
前記フレキシブルプリント基板は、
前記第２プリント基板からの前記所定の電圧を前記第１プリント基板の方向に伝達する第１配線と、
前記第１配線上の前記所定の電圧を前記第２プリント基板上の前記メモリ素子の方向に帰還させるダミー配線とを有する
ことを特徴とする請求項４記載の液晶表示装置。
【請求項６】
前記メモリ素子は、不揮発性メモリ素子である
ことを特徴とする請求項１記載の液晶表示装置。
【請求項７】
前記メモリ素子は、ＥＥＰＲＯＭである
ことを特徴とする請求項６記載の液晶表示装置。
【請求項８】
前記タイミングコントローラは、前記メモリ素子とＩ２Ｃ方式で通信して前記メモリ素子を読み取る
ことを特徴とする請求項１記載の液晶表示装置。
【請求項９】
液晶パネルと、前記液晶パネルを駆動する駆動回路が実装された第１プリント基板と、前記駆動回路に所定の制御信号及びデータ信号を供給するタイミングコントローラ、並びに前記駆動回路に所定の電圧を供給する電源供給部が実装された第２プリント基板と、前記第２プリント基板から供給された前記所定の制御信号及びデータ信号、並びに所定の電圧を前記第１プリント基板に供給するフレキシブルプリント基板と、前記第２プリント基板上に実装されたメモリ素子とを備える液晶表示装置の駆動方法において、
前記電源供給部が前記所定の電圧を発生するステップと、
前記所定の電圧を前記フレキシブルプリント基板及び前記第１プリント基板の少なくとも一方に循環させるステップと、
前記メモリ素子が循環した前記所定の電圧に応答して書き込み防止機能を実行するステップと
を含むことを特徴とする液晶表示装置の駆動方法。
【請求項１０】
前記循環させるステップは、前記所定の電圧を前記第１プリント基板上で前記メモリ素子の方向に帰還させるステップを含む
ことを特徴とする請求項９記載の液晶表示装置の駆動方法。
【請求項１１】
前記循環させるステップは、前記所定の電圧を前記フレキシブルプリント基板上で前記メモリ素子の方向に帰還させるステップを含む
ことを特徴とする請求項９記載の液晶表示装置の駆動方法。
【発明の詳細な説明】
【技術分野】
【０００１】
本発明は、液晶表示装置に関し、特に安定して書き込み防止（Ｗｒｉｔｅ  Ｐｒｏｔｅｃｔｉｏｎ）機能を実行することができる液晶表示装置及びその駆動方法に関する。
【背景技術】
【０００２】
情報化社会が発展するにつれて、表示装置に対する要求も次第に多様な形態になってきている。これに応じてＬＣＤ（Ｌｉｑｕｉｄ  Ｃｒｙｓｔａｌ  Ｄｉｓｐｌａｙ  ｄｅｖｉｃｅ）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）など、様々なフラットパネル表示装置が研究されており、一部は既に様々な装置において表示装置として活用されている。
【０００３】
現在では、その中でも高画質、軽量、薄型、低消費電力などの利点を持つため、移動型画像表示装置用として陰極線管（Ｃａｔｈｏｄｅ  Ｒａｙ  Ｔｕｂｅ）に代わってＬＣＤ（以下、液晶表示装置という）が最も広く使用されている。液晶表示装置はノートブックコンピュータのモニタなどのポータブル型用としてだけでなく、テレビモニタなどに多様に開発されている。
【０００４】
液晶表示装置は、液晶の光学的異方性と分極特性を利用して画像を表示する。液晶に含まれる液晶分子は所定の（又は一定の）方向に配列される。また、液晶分子の配列方向は、液晶に電界を印加することによって制御できる。従って、液晶分子の配列方向を任意に調節すると、液晶分子の配列が変化し、光学的異方性により液晶分子の配列方向に光の偏光状態を変化させて画像情報を表現することができる。
【０００５】
図１は、従来のオーバードライブ回路が備えられた液晶表示装置を示すブロック図である。図１に示すように、従来の液晶表示装置は、画像を表示する液晶パネル２と、液晶パネル２を駆動するゲートドライバ４及びデータドライバ６と、ゲートドライバ４及びデータドライバ６を制御するタイミングコントローラ８とが設けられている。この液晶パネル２は、交差するように配列された複数のゲートラインＧＬ１〜ＧＬｎ及び複数のデータラインＤＬ１〜ＤＬｍを備える。データドライバ６は、データＰＣＢ（Ｐｒｉｎｔｅｄ  Ｃｉｒｃｕｉｔ  Ｂｏａｒｄ）１８上に実装される。
【０００６】
タイミングコントローラ８は、オーバードライブ回路（ＯＤＣ：Ｏｖｅｒ  Ｄｒｉｖｉｎｇ  Ｃｉｒｃｕｉｔ）１０を含む。このＯＤＣ１０は、オーバードライブのためにビデオデータを補正する。ＯＤＣ１０は、システム（図示せず）から供給された先行フレームデータと現在フレームデータを比較し、それらの差を検出する。ＯＤＣ１０は、先行フレームデータと現在フレームデータとの差によって現在フレームデータのサイズを補正し、その補正されたデータをデータドライバ６に供給する。
【０００７】
補正されたデータの算出のために、ＯＤＣ１０は、外部記憶装置であるＥＥＰＲＯＭ１２に保存されているルックアップテーブルを読み取る。このルックアップテーブルには、先行フレームデータの論理値と現在フレームデータの論理値がＸ軸及びＹ軸に配列されており、オーバードライブのための補正データがＸ軸とＹ軸の交差する部分にそれぞれ配置されている。これにより、ＯＤＣ１０は、先行フレームデータと現在フレームデータをコラム及びローアドレスとしてＥＥＰＲＯＭ１２に供給し、ＥＥＰＲＯＭ１２のルックアップテーブルから補正データを読み取る。ルックアップテーブルから補正データを読み取るために、ＯＤＣ１０はＥＥＰＲＯＭ１２とＩ２Ｃ方式で通信する。Ｉ２Ｃ方式の通信のために、ＯＤＣ１０とＥＥＰＲＯＭ１２間には２つのアクティブワイヤ（ＳＣＬ（Ｃｌｏｃｋ）、ＳＤＡ（Ｄａｔａ）、いずれも図示せず）が接続される。
【０００８】
ＥＥＰＲＯＭ１２の書き込み防止端子Ｗ／Ｐ（Ｗｒｉｔｅ  Ｐｒｏｔｅｃｔｉｏｎ）に所定の電圧を供給する電圧生成部１４は、タイミングコントローラ８及びＥＥＰＲＯＭ１２と共に制御ＰＣＢ２２に実装される。この制御ＰＣＢ２２は、ＦＦＣ（Ｆｌｅｘｉｂｌｅ  Ｆｌａｔ  Ｃａｂｌｅ）２０を介してデータＰＣＢ１８と電気的に接続される。ＥＥＰＲＯＭ１２が読み取り（ｒｅａｄ）機能を実行する場合、ＥＥＰＲＯＭ１２内のルックアップテーブルの補正データをタイミングコントローラ８内のＯＤＣ１０が読み取ってデータドライバ６に供給する。このデータドライバ６は、補正データに該当するデータ電圧を液晶パネル２に供給して映像が液晶パネル２に表示されるようにする。
【０００９】
液晶表示装置においては、ユーザの特性又はメーカーの販売戦略によって補正データが頻繁に変更される。この補正データの変更の利便性のために、液晶表示装置は、記録可能かつ不揮発性の特性を有するＥＥＰＲＯＭ１２を外部記憶装置として使用する。ＥＥＰＲＯＭ１２は、所定の電源供給部（図示せず）から供給された入力電圧Ｖｃｃを入力する入力電圧端子、書き込み防止端子Ｗ／Ｐ、ＯＤＣ１０と通信するためのＩ２Ｃ端子としてのＳＣＬ（Ｓｅｒｉａｌ  Ｃｌｏｃｋ）端子、及びＳＤＡ（Ｓｅｒｉａｌ  Ａｄｄｒｅｓｓ／Ｄａｔａ）端子などを有する。書き込み防止端子Ｗ／Ｐに供給された電圧のレベルによってＥＥＰＲＯＭ１２の機能が決定される。書き込み防止端子Ｗ／Ｐにハイ（Ｈｉｇｈ）レベルの電圧が供給されると、ＥＥＰＲＯＭ１２は読み取り（ｒｅａｄ）機能のみを行い、書き込み防止端子Ｗ／Ｐにロー（Ｌｏｗ）レベルの電圧が供給されると、ＥＥＰＲＯＭ１２は読み取り（ｒｅａｄ）及び書き込み（ｗｒｉｔｅ）機能の両方を行う。
【００１０】
ＥＥＰＲＯＭ１２の書き込み防止端子Ｗ／Ｐには、電圧生成部１４から生成された電圧が供給される。この電圧生成部１４は、上記電源供給部から供給された電源電圧Ｖｄｄを第１及び第２抵抗Ｒ１、Ｒ２により分圧する。電圧生成部１４は、分圧された電圧をＥＥＰＲＯＭ１２の書き込み防止端子Ｗ／Ｐに印加する。電圧生成部１４から出力され分圧された電圧をハイレバル又はローレベルに容易に調整できるように、第１及び第２抵抗Ｒ１、Ｒ２の少なくとも一方を可変抵抗に代えてもよい。少なくとも一方の可変抵抗の抵抗値が調整されることにより、電圧生成部１４から出力される分圧電圧はハイレバル又はローレベルに可変できる。
【００１１】
液晶表示装置が製品として完成する前に、ＥＥＰＲＯＭ１２は、外部に位置する書き込み装置からルックアップテーブルを保存するために読み取り／書き込み機能を実行しなければならない。これとは異なり、液晶表示装置が駆動されるとき（すなわち、完成後）は、ＥＥＰＲＯＭ１２が読み取り（ｒｅａｄ）機能のみを行うように書き込み防止状態を維持しなければならない。このような書き込み防止の制御は、ＥＥＰＲＯＭ１２の書き込み防止端子Ｗ／Ｐに印加される電圧、すなわち電源電圧Ｖｄｄを第１及び第２抵抗Ｒ１、Ｒ２によって分圧した電圧に依存する。つまり、ＥＥＰＲＯＭ１２に印加される電圧を決定する電源電圧Ｖｄｄ並びに前記第１及び第２抵抗Ｒ１、Ｒ２の抵抗値によってＥＥＰＲＯＭ１２の機能が変更（すなわち、書き込み防止が選択）される。
【発明の開示】
【発明が解決しようとする課題】
【００１２】
しかし、電源電圧Ｖｄｄは、ノイズや外部から流入した静電気によって歪むことがある。この歪んだ電源電圧Ｖｄｄが電圧生成部１４に印加されると、電圧生成部１４は歪んだ電源電圧Ｖｄｄを第１及び第２抵抗Ｒ１、Ｒ２を利用して分圧する。この分圧された電圧は、ＥＥＰＲＯＭ１２の書き込み防止端子Ｗ／Ｐに印加される。電圧生成部１４で分圧された電圧は、書き込み防止端子Ｗ／Ｐに印加されてＥＥＰＲＯＭ１２の誤動作を誘発する（すなわち、書き込み防止機能を解除する）。より詳しくは、ＥＥＰＲＯＭ１２の書き込み防止端子Ｗ／Ｐにローレベルの電圧が印加されると、ＥＥＰＲＯＭ１２の書き込み防止機能が解除される。ここで、外部で発生する静電気やノイズによってＥＥＰＲＯＭ１２が書き込み動作を行うと、ＥＥＰＲＯＭ１２に予め保存されたルックアップテーブル上の補正データが損傷する。
【００１３】
このように、書き込み防止端子Ｗ／Ｐに印加された電圧が歪んだ電源電圧Ｖｄｄに影響されて、書き込み防止端子Ｗ／Ｐに印加された電圧が歪むことにより、ＥＥＰＲＯＭ１２の書き込み防止機能が影響される。書き込み防止端子Ｗ／Ｐにハイレベルの電圧が印加されてＥＥＰＲＯＭ１２が読み取り（ｒｅａｄ）機能のみを行わなければならないとき（液晶表示装置が駆動されるとき）に、ＥＥＰＲＯＭ１２の書き込み防止端子Ｗ／Ｐに歪んだ電源電圧Ｖｄｄによるローレベルの電圧が印加されることになり、書き込み（ｗｒｉｔｅ）機能を実行することになる。液晶表示装置の駆動中にＥＥＰＲＯＭ１２が書き込みを行うと、外部要因により意図しない新しいデータが流入してＥＥＰＲＯＭ１２に保存されたデータが損傷する。
【００１４】
本発明は、上述のような課題を解決するためになされたもので、その目的は、安定して書き込み防止機能を実行することができる液晶表示装置及びその駆動方法を得るものである。
【課題を解決するための手段】
【００１５】
本発明の実施の形態に係る液晶表示装置は、液晶パネルと、前記液晶パネルを駆動する駆動回路が実装され前記液晶パネルの一方に取り付けられた第１プリント基板と、前記駆動回路に所定の制御信号及びデータ信号を供給するタイミングコントローラ、並びに前記駆動回路に所定の電圧を供給する電源供給部が実装された第２プリント基板と、前記第２プリント基板から供給された前記所定の制御信号及びデータ信号、並びに所定の電圧を前記第１プリント基板に供給するフレキシブルプリント基板と、前記第２プリント基板上に実装され、前記フレキシブルプリント基板及び前記第１プリント基板の少なくとも一方を介して電気通路からの前記所定の電圧に応答して書き込み防止機能を実行するメモリ素子とが設けたものである。
【００１６】
本発明の実施の形態に係る液晶表示装置の駆動方法は、液晶パネルと、前記液晶パネルを駆動する駆動回路が実装された第１プリント基板と、前記駆動回路に所定の制御信号及びデータ信号を供給するタイミングコントローラ、並びに前記駆動回路に所定の電圧を供給する電源供給部が実装された第２プリント基板と、前記第２プリント基板から供給された前記所定の制御信号及びデータ信号、並びに所定の電圧を前記第１プリント基板に供給するフレキシブルプリント基板と、前記第２プリント基板上に実装されたメモリ素子とが設けられた液晶表示装置の駆動方法において、前記電源供給部が前記所定の電圧を発生するステップと、前記所定の電圧を前記フレキシブルプリント基板及び前記第１プリント基板の少なくとも一方に循環させるステップと、前記メモリ素子が循環した前記所定の電圧に応答して書き込み防止機能を実行するステップとを含むものである。
【発明の効果】
【００１７】
本発明に係る液晶表示装置及びその駆動方法は、ＦＦＣを介して一定レベルの駆動電圧Ｖｃｃを持続的にＥＥＰＲＯＭの書き込み防止端子Ｗ／Ｐに供給することにより、ＥＥＰＲＯＭが読み取り（ｒｅａｄ）機能を実行するようにし、静電気やノイズが発生してもＥＥＰＲＯＭ内に保存されているデータを保護することができるという効果を奏する。
【００１８】
また、本発明に係る液晶表示装置及びその駆動方法は、外部回路を備えて電源電圧Ｖｄｄを分圧することによって書き込み防止端子Ｗ／Ｐに供給していた従来の液晶表示装置とは異なり、外部回路を備えずにＦＦＣ内部で一定レベルの駆動電圧ＶｃｃをＥＥＰＲＯＭの書き込み防止端子Ｗ／Ｐに供給することにより、外部回路による追加コストが減少し、有効面積を確保することができるという効果を奏する。
【発明を実施するための最良の形態】
【００１９】
以下、添付図面を参照して本発明に係る実施の形態を説明する。
【００２０】
図２は、本発明の実施の形態に係る液晶表示装置を示すブロック図である。図２に示すように、本発明の実施の形態に係る液晶表示装置は、画像を表示する液晶パネル１０２と、この液晶パネル１０２を駆動するための駆動部とが設けられている。
【００２１】
液晶パネル１０２には、複数のゲートラインＧＬ１〜ＧＬｎと複数のデータラインＤＬ１〜ＤＬｍが交差するように配列される。これらゲートラインＧＬ１〜ＧＬｎ及びデータラインＤＬ１〜ＤＬｍによって区分されるそれぞれの画素領域には、薄膜トランジスタＴＦＴ（Ｔｈｉｎ  Ｆｉｌｍ  Ｔｒａｎｓｉｓｔｏｒ）及びその薄膜トランジスタＴＦＴに接続された液晶セルＬＣＣ（Ｌｉｑｕｉｄ  Ｃｒｙｓｔａｌ  Ｃｅｌｌ）が形成される。薄膜トランジスタＴＦＴは対応するゲートラインＧＬ１〜ＧＬｎに接続され、ゲートラインＧＬ１〜ＧＬｎに供給されたゲートスキャン信号によりターンオン／オフ（ｔｕｒｎ−ｏｎ／ｏｆｆ）する。すなわち、ゲートラインＧＬ１〜ＧＬｎにゲートハイ電圧ＶＧＨが供給されると、それに対応する薄膜トランジスタＴＦＴはターンオン（ｔｕｒｎ−ｏｎ）する。それに対して、ゲートラインＧＬ１〜ＧＬｎにゲートロー電圧ＶＧＬが供給されると、それに対応する薄膜トランジスタＴＦＴはターンオフ（ｔｕｒｎ−ｏｆｆ）する。
【００２２】
上記駆動部は、複数のゲートラインＧＬ１〜ＧＬｎを駆動するためのゲートドライバ１０４と、複数のデータラインＤＬ１〜ＤＬｍを駆動するための複数のデータドライブＩＣチップ（駆動回路）１０６ａ〜１０６ｃと、ゲートドライバ１０４及び複数のデータドライブＩＣチップ１０６ａ〜１０６ｃを制御するタイミングコントローラ１０８とを備える。ゲートドライバ１０４は、タイミングコントローラ１０８から供給されたゲート制御信号に応答して複数のゲートラインＧＬ１〜ＧＬｎに順次ゲートスキャン信号を供給する。複数のデータドライブＩＣチップ１０６ａ〜１０６ｃは、タイミングコントローラ１０８から供給されたデータ制御信号に応答し、タイミングコントローラ１０８からの１ライン分の画素データに該当するデータ電圧が複数のデータラインＤＬ１〜ＤＬｍに供給されるようにする。このような複数のデータドライブＩＣチップ１０６ａ〜１０６ｃは、複数のデータＰＣＰ１０７ａ〜１０７ｃにそれぞれ実装される。データドライブＩＣチップ１０６ａ〜１０６ｃがそれぞれ搭載されたデータＰＣＰ１０７ａ〜１０７ｃは、データＰＣＢ（第１プリント基板）１１４に共通に接続されると共に液晶パネル１０２にも共通に接続される。これにより、データドライブＩＣチップ１０６ａ〜１０６ｃは、データＰＣＰ１０７ａ〜１０７ｃによってデータＰＣＢ１１４及び液晶パネル１０２上のデータラインＤＬ１〜ＤＬｍ間に接続される。タイミングコントローラ１０８は、システム（図示せず）から供給された垂直／水平同期信号（Ｖｓｙｎｃ／Ｈｓｙｎｃ）並びにデータイネーブル（ＤＥ）信号及び所定のクロック信号（ＣＬＫ）を利用して上記ゲート制御信号及びデータ制御信号を生成する。
【００２３】
また、上記駆動部は、ゲートドライバ１０４及びデータドライバＩＣ１０６ａ〜１０６ｃに駆動電圧Ｖｃｃと共に所定の電圧を供給する電源供給部１１６と、少なくとも１つのルックアップテーブルが保存されたＥＥＰＲＯＭ（メモリ素子）１１２とをさらに備える。タイミングコントローラ１０８、電源供給部１１６、及びＥＥＰＲＯＭ１１２は制御ＰＣＢ（第２プリント基板）１２２上に実装され、複数のデータドライバＩＣ１０６ａ〜１０６ｃはデータＰＣＢ１１４上に実装される。制御ＰＣＢ１２２とデータＰＣＢ１１４は、ＦＦＣ（フレキシブルプリント基板）（Ｆｌｅｘｉｂｌｅ  Ｆｌａｔ  Ｃａｂｌｅ）１２０を介して電気的に接続される。
【００２４】
タイミングコントローラ１０８は、液晶表示装置のオーバードライブ駆動のためのＯＤＣ１１０をさらに備える。タイミングコントローラ１０８内部に備えられたＯＤＣ１１０は、オーバードライブのためにビデオデータを補正する。ＯＤＣ１１０は、システム（図示せず）から供給された先行フレームデータと現在フレームデータを比較し、それらの差を検出する。ＯＤＣ１１０は、先行フレームデータと現在フレームデータとの差によって現在フレームデータのサイズを補正し、その補正されたデータをデータドライブＩＣチップ１０６ａ〜１０６ｃに供給する。補正されたデータの算出のために、ＯＤＣ１１０は外部記憶装置であるＥＥＰＲＯＭ１１２に保存されているルックアップテーブルを読み取る。このルックアップテーブルには、先行フレームのデータの論理値と現在フレームのデータの論理値がＸ軸及びＹ軸に配列されており、オーバードライブのための補正データがＸ軸とＹ軸の交差する部分にそれぞれ配置されている。これにより、ＯＤＣ１１０は、先行フレームデータと現在フレームデータをコラム及びローアドレスとしてＥＥＰＲＯＭ１１２に供給し、ＥＥＰＲＯＭ１１２のルックアップテーブルから補正データを読み取る。ルックアップテーブルから補正データを読み取るために、ＯＤＣ１１０はＥＥＰＲＯＭ１１２とＩ２Ｃ方式で通信する。Ｉ２Ｃ方式の通信のために、ＯＤＣ駆動部１１０とＥＥＰＲＯＭ１１２間には２つのアクティブワイヤ（ＳＣＬ（Ｃｌｏｃｋ）、ＳＤＡ（Ｄａｔａ）、図示せず）が接続される。
【００２５】
電源供給部１１６は、電源電圧Ｖｄｄ、並びにゲートドライバ１０４に供給されるゲートハイ電圧ＶＧＨ及びゲートロー電圧ＶＧＬなどを生成する。また、電源供給部１１６は、電源電圧Ｖｄｄを昇圧又は降圧させた駆動電圧Ｖｃｃを生成する。この駆動電圧Ｖｃｃは、複数のデータドライブＩＣチップ１０６ａ〜１０６ｃ及びゲートドライバ１０４に供給される。電源供給部１１６で生成された駆動電圧Ｖｃｃを含む所定の電圧なども、ゲート及びデータ制御信号と同様に、ＦＦＣ１２０上に形成されたパッドによりデータＰＣＢ１１４を介してゲートドライバ１０４及び複数のデータドライブＩＣチップ１０６ａ〜１０６ｃに供給される。電源供給部１１６で生成された駆動電圧Ｖｃｃは、約３．３Ｖの一定レベルを有する電圧であり、ノイズなどによって歪んでいない安定した電圧を意味する。ＦＦＣ１２０の一側は、図２に示すように、制御ＰＣＢ１２２に取り付けられ、ＦＦＣ１２０の他側は、データＰＣＢ１１４に取り付けられて制御ＰＣＢ１２２とデータＰＣＢ１１４を電気的に接続する役割を果たす。
【００２６】
ＦＦＣ１２０には、図３Ａに示すように、複数のパッドが形成されている。ＦＦＣ１２０の一側、すなわち制御ＰＣＢ１２２に取り付けられる第１領域には、複数の制御パッドＣＰ−１〜ＣＰ−６０が形成されている。ＦＦＣ１２０の他側、すなわちデータＰＣＢ１１４に取り付けられる第２領域には、複数のデータパッドＤＰ−１〜ＤＰ−６０が形成されている。ＦＦＣ１２０に形成された制御パッドＣＰ−１〜ＣＰ−６０及びデータパッドＤＰ−１〜ＤＰ−６０は、１対１対応で電気的に接続されている。制御ＰＣＢ１２２から供給された所定の制御信号及びデータ信号並びに入力電圧Ｖｃｃを含む所定の電圧が、ＦＦＣ１２０上に形成された制御パッドＣＰ−１〜ＣＰ−６０及びデータパッドＤＰ−１〜ＤＰ−６０によりデータＰＣＢ１１４に供給される。
【００２７】
例えば、ＦＦＣ１２０上に形成された制御パッドＣＰ−１〜ＣＰ−６０及びデータパッドＤＰ−１〜ＤＰ−６０がそれぞれ６０個であるとする。この場合、第５８制御パッドＣＰ−５８には、複数のデータドライバＩＣ１０６ａ〜１０６ｃに供給される第１駆動電圧Ｖｃｃ−Ｄが電源供給部１１６から供給される。第５９制御パッドＣＰ−５９には、ゲートドライバ１０４に供給される第２駆動電圧Ｖｃｃ−Ｇが電源供給部１１６から供給される。電源供給部１１６からの第１駆動電圧Ｖｃｃ−Ｄは、第５８制御パッドＣＰ−５８を介してこの第５８制御パッドＣＰ−５８に対応する第５８データパッドＤＰ−５８によりデータＰＣＢ１１４に供給される。データＰＣＢ１１４に供給された第１駆動電圧Ｖｃｃ−Ｄは、複数のデータドライブＩＣチップ１０６ａ〜１０６ｃに供給される。電源供給部１１６からの第２駆動電圧Ｖｃｃ−Ｇは、第５９制御パッドＣＰ−５９を介してこの第５９制御パッドＣＰ−５９に対応する第５９データパッドＤＰ−５９によりゲートドライバ１０４に供給される。
【００２８】
ＦＦＣ１２０に形成された第６０制御パッドＣＰ−６０と、この第６０制御パッドＣＰ−６０に対応する第６０データパッドＤＰ−６０はダミーパッドである。第５９データパッドＤＰ−５９とダミーパッドの第６０データパッドＤＰ−６０は、電気的に接続されている。従って、第５９データパッドＤＰ−５９に供給された第２駆動電圧Ｖｃｃ−Ｄが第６０データパッドＤＰ−６０に供給される。この第６０データパッドＤＰ−６０に供給された第２駆動電圧Ｖｃｃ−Ｇは、第６０データパッドＤＰ−６０に対応する第６０制御パッドＣＰ−６０に供給される。この第６０制御パッドＣＰ−６０は、ＥＥＰＲＯＭ１１２の書き込み防止端子Ｗ／Ｐに接続されており、第６０制御パッドＣＰ−６０に供給された第２駆動電圧Ｖｃｃ−Ｇは、ＥＥＰＲＯＭ１１２の書き込み防止端子Ｗ／Ｐに供給される。
【００２９】
ＥＥＰＲＯＭ１１２の書き込み防止端子Ｗ／Ｐに一定レベルの第２駆動電圧Ｖｃｃ−Ｇが供給されることにより、書き込み防止端子Ｗ／Ｐはハイ（Ｈｉｇｈ）状態になってＥＥＰＲＯＭ１１２が読み取り（ｒｅａｄ）機能のみを行うようにする。ここで、電源供給部１１６で生成された駆動電圧ＶｃｃがＥＥＰＲＯＭ１１２の書き込み防止端子Ｗ／Ｐに直接供給される場合、液晶表示装置がオン（ｏｎ）されるとＥＥＰＲＯＭ１１２は読み取り（ｒｅａｄ）機能のみを行う。
【００３０】
図３Ｂは、ＦＦＣ１２０の他の構成を示す平面図である。図３Ｂに示すように、ＦＦＣ１２０上には複数のパッドが形成されている。ＦＦＣ１２０の一側、すなわち制御ＰＣＢ１２２に取り付けられる第１領域には、複数の制御パッドＣＰ−１〜ＣＰ−６０が形成されている。ＦＦＣ１２０の他側、すなわちデータＰＣＢ１１４に取り付けられる第２領域には、複数のデータパッドＤＰ−１〜ＤＰ−６０が形成されている。電源供給部１１６で生成された第２駆動電圧Ｖｃｃ−Ｇは、ＦＦＣ１２０上に形成された第５９制御パッドＣＰ−５９に供給され、この第５９制御パッドＣＰ−５９に供給された第２駆動電圧Ｖｃｃ−Ｇは、第５９制御パッドＣＰ−５９に対応する第５９データパッドＤＰ−５９に供給される。第５９データパッドＤＰ−５９に供給された第２駆動電圧Ｖｃｃ−Ｇは、ゲートドライバ１０４に供給される。
【００３１】
また、第５９制御パッドＣＰ−５９は、第６０制御パッドＣＰ−６０と電気的に接続されており、第５９制御パッドＣＰ−５９に供給された第２駆動電圧Ｖｃｃ−Ｇは、第６０制御パッドＣＰ−６０によりＥＥＰＲＯＭ１１２の書き込み防止端子Ｗ／Ｐに供給される。ＥＥＰＲＯＭ１１２の書き込み防止端子Ｗ／Ｐに一定レベルの第２駆動電圧Ｖｃｃ−Ｇが供給されることにより、書き込み防止端子Ｗ／Ｐはハイ（Ｈｉｇｈ）状態になって、ＥＥＰＲＯＭ１１２が読み取り（ｒｅａｄ）機能のみを行うようにする。このように、ＦＦＣ１２０内部で直接第２駆動電圧Ｖｃｃ−ＧをＥＥＰＲＯＭ１１２の書き込み防止端子Ｗ／Ｐに供給できる。
【００３２】
図４は、ＥＥＰＲＯＭ１１２の構成を示す図である。図４に示すように、ＥＥＰＲＯＭ１１２は、第１〜第８端子を備える。第１〜第３端子ＮＣは、特別なデータや駆動電圧Ｖｃｃが印加されず、余分に形成されたヌル端子（ＮＣ：Ｎｕｌｌ  Ｃｏｎｎｅｃｔｉｏｎ）である。これら第１〜第３端子ＮＣは、接地端子である第４端子ＧＮＤと共にグランド電圧ＧＮＤに接続される。第１〜第３端子ＮＣは、駆動電圧Ｖｃｃ又はデータもしくはクロック信号が印加される他の端子の使用不能時に代わりに使用される。第１〜第３端子ＮＣは、他の端子の代わりに使用されるまで、書き込み及び液晶表示装置駆動時に関わらず接地される。
【００３３】
第５端子ＳＤＡ及び第６端子ＳＣＬには、それぞれ書き込み時（液晶表示装置の接続前）は外部に備えられた書き込み装置（図示せず）からコネクタ１１８を介してデータＳＤＡ及びクロック信号ＳＣＬが供給される。第５端子ＳＤＡ及び第６端子ＳＣＬは、液晶表示装置の駆動時（液晶表示装置の接続後）に、ＯＤＣ１１０とＩ２Ｃ方式で通信し、ＥＥＰＲＯＭ１１２のルックアップテーブル上の補正データがＯＤＣ１１０に供給されるようにする。
【００３４】
第７端子は書き込み防止端子Ｗ／Ｐであり、ＥＥＰＲＯＭ１１２の機能を決定する。書き込み防止端子Ｗ／ＰにＦＦＣ１２０を介してハイ（Ｈｉｇｈ）レベルの駆動電圧Ｖｃｃが供給されると、ＥＥＰＲＯＭ１１２は読み取り（ｒｅａｄ）機能を実行する。液晶表示装置が完成品として商品化された後、液晶表示装置が駆動されると、書き込み防止端子Ｗ／ＰにはＦＦＣ１２０から駆動電圧Ｖｃｃが供給される。ここで、書き込み防止端子Ｗ／Ｐの電圧はハイ（Ｈｉｇｈ）状態を維持する。
【００３５】
従って、ＥＥＰＲＯＭ１１２は読み取り（ｒｅａｄ）機能のみを行い、保存されたルックアップテーブル上の補正データをノイズや外部から入力された静電気などから保護することができる。
【００３６】
ＥＥＰＲＯＭ１１２は、液晶表示装置の完成前の工程で外部に備えられた書き込み装置（図示せず）により書き込み（ｗｒｉｔｅ）機能を実行し、オーバードライブのためのルックアップテーブルをはじめとする必要な制御用データを保存する。それに対して、液晶表示装置の完成後は、電源供給部１１６からＦＦＣ１２０を介した駆動電圧Ｖｃｃが持続的にＥＥＰＲＯＭ１１２の書き込み防止端子Ｗ／Ｐに供給され、ＥＥＰＲＯＭ１１２は読み取り（ｒｅａｄ）機能のみを行う。
【００３７】
本実施の形態に係る液晶表示装置においては、ＥＥＰＲＯＭ１１２の書き込み防止端子Ｗ／Ｐに持続的に駆動電圧Ｖｃｃを供給して書き込み防止端子Ｗ／Ｐをハイ（Ｈｉｇｈ）状態に維持する。これにより、本実施の形態に係る液晶表示装置において、ＥＥＰＲＯＭ１１２は持続的に書き込み防止（Ｗｒｉｔｅ  Ｐｒｏｔｅｃｔｉｏｎ）機能を実行する。
【００３８】
ＥＥＰＲＯＭ１１２が持続的に書き込み防止機能を実行することにより、外部で静電気及びノイズなどが発生してもＥＥＰＲＯＭ１１２は読み取り（ｒｅａｄ）機能のみを行うためにＥＥＰＲＯＭ１１２内部に保存されたデータは損傷しない。
【００３９】
具体的には、ＥＥＰＲＯＭ１１２の書き込み防止端子Ｗ／Ｐに駆動電圧Ｖｃｃが一定に供給されるために、外部で静電気及びノイズが発生しても、又はコンピュータ使用時に誤動作が発生しても、ＥＥＰＲＯＭ１１２のデータが異常なデータに更新されることがなくなる。すなわち、ＥＥＰＲＯＭ１１２は、書き込み防止端子Ｗ／Ｐに一定レベルの駆動電圧Ｖｃｃが供給されて読み取り（ｒｅａｄ）機能のみを行うために、異常なデータの書き込み（ｗｒｉｔｅ）が発生しない。
【００４０】
上述したように、本発明の実施の形態に係る液晶表示装置は、一定レベルを持続的に維持する駆動電圧ＶｃｃをＥＥＰＲＯＭ１１２の書き込み防止端子Ｗ／Ｐに供給するように動作し、この書き込み防止端子Ｗ／Ｐがハイ（Ｈｉｇｈ）レベルを維持するように動作し、ＥＥＰＲＯＭが安定して読み取り（ｒｅａｄ）機能を実行するように動作することにより、従来の液晶表示装置などの問題を防止できる。さらに、本発明の実施の形態に係る液晶表示装置は、外部回路を備えて電源電圧Ｖｄｄを分圧して書き込み防止端子Ｗ／Ｐに供給していた従来の液晶表示装置とは異なり、外部回路を備えずにＦＦＣ１２０を介して一定レベルの駆動電圧ＶｃｃをＥＥＰＲＯＭ１１２の書き込み防止端子Ｗ／Ｐに供給することにより、外部回路による追加コストが減少し、有効面積を確保することができる。
【図面の簡単な説明】
【００４１】
【図１】従来の液晶表示装置の構成を示すブロック図である。
【図２】本発明の実施の形態に係る液晶表示装置の構成を示すブロック図である。
【図３Ａ】図２に示すＦＦＣの構成を詳細に示す平面図である。
【図３Ｂ】図２に示すＦＦＣの他の構成を詳細に示す平面図である。
【図４】図２のＥＥＰＲＯＭの構成を詳細に示す図である。
【符号の説明】
【００４２】
１０２  液晶パネル、１０４  ゲートドライバ、１０６ａ〜１０６ｃ  データドライブＩＣチップ、１０７ａ〜１０７ｃ  データＰＣＢ、１０８  タイミングコントローラ、１１０  ＯＤＣ、１１２  ＥＥＰＲＯＭ、１１４  データＰＣＢ、１１６  電源供給部、１１８  コネクタ、１２０  ＦＦＣ、１２２  制御ＰＣＢ。
【図１】
2008015458.tif 000003
【図２】
2008015458.tif 000004
【図３Ａ】
2008015458.tif 000005
【図３Ｂ】
2008015458.tif 000006
【図４】
2008015458.tif 000007